【手続補正書】
【提出日】平成20年7月4日(2008.7.4)
【手続補正１】
【補正対象書類名】特許請求の範囲
【補正対象項目名】全文
【補正方法】変更
【補正の内容】
【特許請求の範囲】
【請求項１】
入力画像を高解像度符号化し、高解像度符号化データをもたらし、
前記高解像度符号化データに基づいて第１のダウンスケーリングされた表現画像を引き出し、
前記入力画像に基づいて第２のダウンスケーリングされた表現画像を引き出し、
前記第１のダウンスケーリングされた表現画像を前記第２のダウンスケーリングされた表現画像と比較することに基づいて、より低い解像度の符号化を行い、前記高解像度符号化データから復元可能な画像の視覚品位を改善するために使用可能なより低い解像度の品質の拡張データをもたらし、前記比較により、前記より低い解像度が前記高解像度よりも低く、前記高解像度に等しくない、空間及びＳＮＲスケーラブル画像圧縮の方法。
【請求項２】
前記第１のダウンスケーリングされた表現画像を引き出すことは、
前記高解像度符号化データを復号し、高解像度復号データをもたらすことと、
前記高解像度復号データをダウンスケーリングし、前記ダウンスケーリングされた表現画像である低品質のより低い解像度の復号データをもたらすこととを有し、
第２のダウンスケーリングされた表現画像を引き出すことは、符号化されていない入力画像をダウンスケーリングし、前記第２のダウンスケーリングされた表現画像である前記入力画像のより低い解像度のバージョンをもたらすことにより行われ、
前記比較することは、前記入力画像の前記より低い解像度のバージョンから前記低品質のより低い解像度の復号データを減ずることを有する
請求項１記載の空間及びＳＮＲスケーラブル画像圧縮の方法。
【請求項３】
連続した入力画像が圧縮され、前記高解像度符号化は、予め規定された第１のビットレートよりも低い又はそれに等しいビットレートで前記高解像度符号化データをもたらす請求項１記載の方法。
【請求項４】
前記高解像度符号化は、１００ｋｂｉｔ／ｓと４００ｋｂｉｔ／ｓとの間の固定の又は最大の第１のビットレートで前記高解像度符号化データをもたらす請求項３記載の方法。
【請求項５】
前記高解像度符号化データ及び前記より低い解像度の品質の拡張符号化データのビットレートの和は、規定された第２のビットレートよりも小さいか又はそれに等しい請求項３記載の方法。
【請求項６】
連続した入力画像が圧縮され、前記高解像度符号化及び前記より低い解像度の符号化はそれぞれ、別個の動き推定工程及び動き補償工程を持つ請求項１記載の方法。
【請求項７】
高解像度符号化データを受け取ることと、
前記高解像度符号化データから復元可能な画像の視覚品位を改善するためのより低い解像度の品質の拡張符号化データを更に受け取ることと、
前記高解像度よりも小さい又は前記高解像度に等しい出力解像度にスケーリングされた前記より低い解像度の品質の拡張符号化データ及び前記高解像度符号化データに基づいて、前記出力解像度の出力画像を構築することと
を有する空間及びＳＮＲスケーラブル符号化画像データを復号する方法。
【請求項８】
入力画像を高解像度符号化データに符号化するように設けられた高解像度エンコーダと、
前記高解像度符号化データに基づいて第１のダウンスケーリングされた表現画像を引き出すように設けられた第１のダウンスケーリング手段と、
前記入力画像に基づいて第２のダウンスケーリングされた表現画像を引き出すように設けられた第２のダウンスケーリング手段と、
前記第１のダウンスケーリングされた表現画像を前記第２のダウンスケーリングされた表現画像と比較するように設けられた構成される比較器からの比較信号に基づいて、前記高解像度符号化データから復元可能な画像の視覚品位を改善するために使用可能なより低い解像度の品質の拡張データをもたらすように設けられたより低い解像度のエンコーダであって、前記比較器により、前記より低い解像度が前記高解像度よりも低く、前記高解像度に等しくない当該エンコーダと
を有する空間及びＳＮＲスケーラブル画像圧縮装置。
【請求項９】
前記第１のダウンスケーリング手段は、前記高解像度符号化データを高解像度復号データに復号するように設けられたデコーダ及び前記高解像度復号データを前記ダウンスケーリングされた表現画像である低品質のより低い解像度の復号データにダウンスケーリングするように設けられたダウンスケーラの順次処理のチェーンを有し、
前記第２のダウンスケーリング手段は、符号化されていない入力画像を前記第２のダウンスケーリングされた表現画像である前記入力画像のより低い解像度のバージョンにダウンスケーリングするように設けられた符号化されていない信号のダウンスケーリングユニットを有し、
前記比較器は、前記入力画像の前記より低い解像度のバージョンから前記低品質のより低い解像度の復号データを減ずるように設けられた減算器を有し、前記比較信号をもたらす
請求項８記載の空間及びＳＮＲスケーラブル画像圧縮装置。
【請求項１０】
高解像度符号化データを受け取る手段と、
前記高解像度符号化データから復元可能な画像の視覚品位を改善するためのより低い解像度の品質の拡張符号化データを受け取る手段と、
入力された画像を入力解像度から所定の出力解像度にスケーリングするように設けられた少なくとも１つのスケーリング手段と、
２つの入力画像を合計する加算手段と、
符号化された入力画像を復号するように設けられた少なくとも１つの復号手段とを有し、
前記スケーリング、加算及び復号手段が、
最初に、前記高解像度符号化データを復号するように設けられ、高解像度復号データをもたらす高解像度デコーダ及び前記より低い解像度の品質の拡張符号化データを復号するように設けられ、より低い解像度の品質の拡張復号データをもたらすより低い解像度のデコーダ、次に、前記高解像度復号データを前記所定の出力解像度にダウンスケーリングするように設けられ、基本画像をもたらすダウンスケーラ及び前記より低い解像度の品質の拡張復号データを前記所定の出力解像度にスケーリングするように設けられ、拡張画像をもたらすスケーラ、最後に、前記基本画像と前記拡張画像とを加算するように設けられ、出力画像をもたらす加算器、若しくは、最初に、前記高解像度符号化データを前記所定の出力解像度にダウンスケーリングするように設けられた第１のスケーリング手段及び前記より低い解像度の品質の拡張符号化データを前記所定の出力解像度にスケーリングするように設けられた第２のスケーリング手段、次に、その出力画像が加算器に加えられ、最後に、その出力画像がデコーダにおいて復号されるか、又は、最初に、前記高解像度符号化データを前記所定の出力解像度にダウンスケーリングするように設けられた第１のスケーリング手段及び前記より低い解像度の品質の拡張符号化データを前記所定の出力解像度にスケーリングするように設けられた第２のスケーリング手段、次に、対応する結果として生じる画像を復号するように設けられた第１及び第２のデコーダ、最後に、結果として生じる画像を加算するように設けられた加算器のように画像処理順に接続された空間及びＳＮＲスケーラブル画像伸張装置。
【請求項１１】
復号画像データを受け取る接続部と、
この接続部を通して所望の符号化画像データを受け取るように設けられるとともに、前記所望の符号化画像データを条件づけ、それを標準符号化画像フォーマットで出力するように設けられたデータ受信ユニットと、
動作中に前記標準符号化画像フォーマットを受け取るように接続された請求項１０記載の空間及びＳＮＲスケーラブル画像伸張装置と、
前記画像伸張装置から受け取り可能な復号画像を出力する出力部と
を有する画像データ受信器。
【請求項１２】
高解像度符号化データ及びより低い解像度の符号化データを少なくとも含むどのデータの組み合わせから出力部を介して出力されるべき出力画像が復元されるべきであるかを示す伸張モードを決定するように設けられるとともに、前記画像伸張装置を構成するように設けられたプロセッサを更に有する請求項１１記載の画像データ受信器。
【請求項１３】
請求項１２記載の画像データ受信器と、この画像データ受信器に接続されたディスプレイとを有する画像表示装置。
【請求項１４】
動作中、画像データ書き込み器に含まれるメモリに符号化データを与えるように設けられた請求項８記載の空間及びＳＮＲスケーラブル画像圧縮装置を有する当該画像データ書き込み器。
【請求項１５】
プロセッサが請求項１ないし７のいずれか１項に記載の方法を実行できるようにするソフトウェアコードを有するコンピュータプログラム。